(57)【要約】【課題】  使用者の手の大きさや、指の長さに関わらず、最適な指の係止位置を実現し、長時間の使用に際しても疲労しにくく使用しやすいハサミを提供する。【解決手段】  一対の刃部と、上記一対の刃部が夫々固定される一対の柄部と、上記一対の柄部に夫々設けられた指係止部とを備え、上記指係止部は柄部に対して、夫々、長さ方向に移動可能に形成されている。【選択図】  図１
0003153215.tif 000002
【実用新案登録請求の範囲】
【請求項１】
一対の刃部と、上記一対の刃部が夫々固定される一対の柄部と、上記一対の柄部に夫々設けられた指係止部とを備え、上記指係止部は柄部に対して、夫々、長さ方向に移動可能に形成されていることを特徴とするハサミ。
【請求項２】
上記指係止部は、指係止部本体と、上記指係止部本体が固定され、上記柄部に設けられた係合部と係合可能にスライドしうるスライド部とを有することを特徴とする請求項１記載のハサミ。
【請求項３】
上記係合部は、上記柄部に内装され、表面部方向へ常時付勢された突起部を
有していることを特徴とする請求項２記載のハサミ。
【請求項４】
上記指係止部は、親指係止部と他指係止部とにより構成されていることを特徴とする請求項２記載のハサミ。
【請求項５】
上記他指係止部は、親指係止部は側面半円状に形成されると共に側面略Ｔ字状に形成されていることを特徴とする請求項４記載のハサミ。
【考案の詳細な説明】
【技術分野】
【０００１】
本考案はハサミに係り、特に、指係止部の位置を調整できるハサミに関する。
【背景技術】
【０００２】
一般にハサミは、一対の刃部と、上記一対の刃部が夫々固定される一対の柄部と、上記一対の柄部に夫々設けられた、例えば、半円状等の指係止部とを備え、夫々の指係止部に親指と他の指、例えば、人差し指及び中指を係止させて使用する。
【０００３】
この場合、使用者により手の大きさ、指の長さは異なることから、従来から上記指係止部の位置を調節できるハサミが要望されていた。
【０００４】
従来、このような観点から、一方の指係止部を柄部の長さ方向に沿って位置調節可能に形成すると共に他方の指係止部を取り外し可能に形成されたハサミが提案されていた。
【０００５】
しかしながら、このような従来のハサミにあっては、一方の指係止部のみが柄部の長さ方向に沿って移動可能に形成されていたことから、使用者の手の大きさや、指の長さに応じて最適な調整は不可能であるため、ハサミに指の位置を合わせなければならず、場合によっては使用者が使用しにくく、特に、長時間連続して使用する場合には使用者が疲労してしまい不適当である、という不具合が存していた。
【特許文献１】特許第３５１８８０５号
【考案の開示】
【考案が解決しようとする課題】
【０００６】
そこで、本考案の課題は、使用者の手の大きさや、指の長さに関わらず、最適な指の係止位置を実現し、長時間使用した場合であっても疲労しにくく使用しやすいハサミを提供することにある。
【課題を解決するための手段】
【０００７】
上記課題を解決するために、請求項１の考案にあっては、一対の刃部と、上記一対の刃部が夫々固定される一対の柄部と、上記一対の柄部に夫々設けられた指係止部とを備え、上記指係止部は柄部に対して、夫々、長さ方向に移動可能に形成されていることを特徴とする。
【０００８】
従って、請求項１記載の考案にあっては、上記指係止部は柄部に対して、夫々、長さ方向に移動可能に形成されていることから、使用者の全ての指が係止する係止部の位置を調節することができる。
【０００９】
請求項２記載の考案にあっては、上記指係止部は、指係止部本体と、上記指係止部本体が固定され、上記柄部に設けられた係合部と係合可能にスライドしうるスライド部とを有することを特徴とする。
従って、請求項２記載の考案にあっては、指係止部を適宜、スライドさせると共に所望の位置において固定することができる。
【００１０】
請求項３記載の考案にあっては、上記係合部は、上記柄部に内装され、表面
部方向へ常時付勢された突起部を有していることを特徴とする。
従って、請求項３記載の考案にあっては、
請求項４記載の考案にあっては、上記指係止部は、親指係止部と他指係止部とにより構成されていることを特徴とする。
従って、請求項４記載の考案にあっては、親指及び他の指の係止位置を適宜調整することができる。
【００１１】
請求項５記載の考案にあっては、親指係止部は側面半円状に形成されると共に上記他指係止部は、側面略Ｔ字状に形成されていることを特徴とする。
【考案の効果】
【００１２】
請求項１記載の考案にあっては、上記一対の柄部に夫々設けられた上記指係止部は、夫々の柄部に対して、夫々、長さ方向に移動可能に形成されていることから、使用者の全ての指が係止する係止部の位置を調節することができる。
その結果、使用者の手の大きさや、指の長さに関わらず、最適な指の係止位置を実現し、長時間の使用に際しても疲労しにくく使用しやすいハサミが提供される。
【００１３】
請求項２乃至４記載の考案にあっては、指係止部を適宜、スライドさせると共に所望の位置において固定することができることから、請求項１記載の考案の効果に加えて、指係止部の位置を容易に変更することができるハサミが提供される。
請求項５記載の考案にあっては、請求項１〜４記載の考案の効果に加えて、親指以外の指が係止しやすく、全体として使いやすいハサミを提供することができる。
【図面の簡単な説明】
【００１４】
【図１】本考案に係るハサミの一実施の形態を示す平面図である。
【図２】本考案に係るハサミの一実施の形態を示し、図１の２―２線断面図であって、指係止部の位置調整を行っている状態を示す図である。
【考案を実施するための最良の形態】
【００１５】
図１に示すように、本実施の形態に係るハサミ１０は、一対の刃部１１，１２と、上記一対の刃部１１，１２が夫々固定される一対の柄部１３，１４と、上記一対の柄部１３，１４に夫々設けられた指係止部１５，１６とを備え、上記指係止部１５，１６は柄部１３，１４に対して、夫々、長さ方向に移動可能に形成されている。
【００１６】
本実施の形態にあっては、上記柄部１３，１４は、全体略細長長方形状に形成され、上記指係止部１５，１６は、親指係止部１５と他指係止部１６とにより構成されている。本実施の形態にあっては、上記親指係止部１５及び他指係止部１６は夫々、柄部１３，１４の幅方向の半体側に突出して配置され、使用時に親指が係止する親指係止部１５は側面半円状に形成されると共に、使用時に親指以外の指、例えば、人差し指及び中指が係止する他指係止部１６は、側面略Ｔ字状に形成されている。
【００１７】
そ  して、本実施の形態にあっては、上記指係止部１５，１６は、指係止部本体１７，１８と、上記指係止部本体１７，１８が固定され、上記柄部１３，１４に設けられた係合部１９，２０と係合可能にスライドしうるスライド部２１，２２とを有している。
上記スライド部２１，２２は、横断面コ字状に形成され、上面部に上記指係止部１５，１６が固定され、本実施の形態にあっては、側面部には一定間隔を置いて、５個の係止孔部３０，３０が、長さ方向に沿って７ｍｍ 置きに開設されている。
【００１８】
一方、上記係合部１９，２０は、上記柄部１３，１４に内装され、表面部方向へ常時付勢された突起部２３，２４を有している。即ち、上記柄部１３，１４の長さ方向における中央部やや刃部側寄りには長さ方向に沿って凹部２５，２６が開設され、上記凹部２５，２６内には、板状のバネ材により形成された係止部２７，２７が配設されている。
【００１９】
この係止部２７，２７は、台座部２８，２８上に載置され、脚部２９，２９と、中央部に形成された突起部２３，２４とにより構成されている。上記突起部２３，２４は、側面略半円上であって外方に向かって突出するように形成され、その先端部が上記係止孔部３０内に配置されうる大きさ寸法及び高さ寸法に形成されている。
【００２０】
上記脚部２９，２９は上記台座部２８，２８の上面部から立ち上がっており、上記突起部２３，２４を常時外方へ付勢し、上記スライド部２１，２２の適宜の係止孔部３０内に上記突起部２３，２４が係合するように構成されている。
【００２１】
以下、本実施の形態に係るハサミ１０の作用について説明する。
本実施の形態に係るハサミ１０を使用する場合には、親指を上記親指係止部１５に係止させると共に、人差し指及び中指をＴ字状に形成された他指係止部１６に係止させた状態で柄部１３，１４を把持する。
【００２２】
この場合、使用者の手の大きさ、指の長さ、使用目的等により、適宜、親指係止部１５及び他指係止部１６の柄部１３，１４の長さ方向における位置調整を行う。即ち、例えば、親指側の位置調整を行う場合には、上記親指係止部１５によりスライド部２１を柄部１３の長さ方向に沿って前後移動させ、適宜の係止孔部３０に突起部２３を係合させて固定する。
この場合、本実施の形態にあっては、７ｍｍ置きに上記係止孔部３０が開設されていることから、図２（ａ）〜（ｅ）に示すように、長さ方向に沿って最大２８ｍｍに及ぶ位置調節が可能となる。
【００２３】
また、親指以外の、例えば、人差し指及び中指側の位置調整を行う場合には、他指係止部１６によりスライド部２２を柄部１４の長さ方向に沿って前後移動させて、上記同様に適宜の係止孔部３０に突起部２３を係合させて固定する。
【００２４】
このように親指側の把持位置及び他の指、例えば、人差し指及び中指側の把持位置を独立して、それぞれ適宜調整することができることから、手の大きさ、指の長さ等の事情及び、使用目的に応じて、使用者に最適な指の把持位置を提供することが可能となる。
【００２５】
なお、本実施の形態にあっては、親指係止部１５が側面半円状であると共に、他指係止部１６がＴ字状に形成されている場合を例に説明したが、上記実施の形態に限定されず、適宜の形状により構成することができる。
他指係止部１６がＴ字状に形成されている場合には、側面半円状に形成されている場合とは異なり、両側部が開放されていることから、例えば、人差し指及び中指を係止しやすい、という効果がある。
【００２６】
また、係合部１９，２０の具体的構成に関しても、上記構成には限定されない。本実施の形態にあっては、突起部２３，２４が常時スライド部２１，２２に対して付勢されていることから、親指係止部１５及び他指係止部１６の位置調整にあたり、容易にスライド部２１，２２を移動及び係止固定することが可能となる。
【産業上の利用可能性】
【００２７】
本考案は、広くハサミに適用することができる。
【符号の説明】
【００２８】
１０  ハサミ
１１  刃部
１２  刃部
１３  柄部
１４  柄部
１５  指係止部（親指係止部）
１６  指係止部（他指係止部）
１７  指係止部本体
１８  指係止部本体
１９  係合部
２０  係合部
２１  スライド部
２２  スライド部
２３  突起部
２４  突起部
２５  凹部
２６  凹部
２７  係止部
２８  係止部
２９  脚部
３０  係止孔部
【図１】
0003153215.tif 000003
【図２】
0003153215.tif 000004